(57)【特許請求の範囲】
【請求項１】
上端に道糸が止着される主杆と、前記主杆の下端から前記主杆の軸に交差する方向へ延設され、延出端に仕掛けが止着される枝杆と、前記主杆が挿通される貫通孔を有し、前記主杆により挿通支持される姿勢変更部材と、を備え、
前記姿勢変更部材は、前記主杆の軸方向に長尺とされた浮力体と、前記浮力体の軸方向上端部に設けられた錘体と、を有しており、
前記姿勢変更部材は、
前記主杆の軸方向に移動可能であり、キャスト時に前記枝杆側に移動するとともに、投入後に前記枝杆側と反対側に移動するように構成されていることを特徴とする釣り用天秤。
【請求項２】
前記枝杆は、前記主杆と別部材で構成され、前記主杆が挿通されるリング状の連結部を介して前記主杆に連結されており、
前記連結部には、キャスト時に前記枝杆側へ移動する前記姿勢変更部材が当接するようになっており、
前記枝杆は、前記姿勢変更部材の当接によって、前記主杆の軸に交差する方向へ位置決めされて延出保持されることを特徴とする請求項１に記載の釣り用天秤。
【発明の詳細な説明】
【技術分野】
【０００１】
本発明は、釣り用天秤に関する。
【背景技術】
【０００２】
従来、釣り用天秤として特許文献１に記載されたものが知られている。この釣り用天秤は、メインワイヤと、サブワイヤと、錘とから構成されている。メインワイヤには道糸が止着され、また、サブワイヤには、仕掛けが止着される。
このような釣り用天秤を用いた投げ釣り等の釣りでは、錘の重量を利用して仕掛けを遠投することができる。
キャスト時には、サブワイヤの長さ分、道糸と仕掛けとを離間させることが可能であり、仕掛けが道糸に絡まることが防止されている。
【先行技術文献】
【特許文献】
【０００３】
【特許文献１】特開２００９−１７８１３８号公報
【発明の概要】
【発明が解決しようとする課題】
【０００４】
しかしながら特許文献１の釣り用天秤は、サブワイヤの長さ分、道糸と仕掛けとが離間しているだけであるので、投入後（着水後）の沈下時に、仕掛けがメインワイヤや道糸に近付いて糸絡みが生じるおそれがあった。
【０００５】
本発明は、前記問題を解決するためになされたものであり、投入後に糸絡みが生じるのを好適に防止することができる釣り用天秤を提供することを課題とする。
【課題を解決するための手段】
【０００６】
このような課題を解決する本発明の釣り用天秤は、上端に道糸が止着される主杆と、前記主杆の下端から前記主杆の軸に交差する方向へ延設され、延出端に仕掛けが止着される枝杆と、前記主杆が挿通される貫通孔を有し、前記主杆により挿通支持される姿勢変更部材と、を備え、前記姿勢変更部材は、前記主杆の軸方向に長尺とされた浮力体と、前記浮力体の軸方向上端部に設けられた錘体と、を有しており、前記姿勢変更部材は、前記主杆の軸方向に移動可能であり、キャスト時に前記枝杆側に移動するとともに、投入後に前記枝杆側と反対側に移動するように構成されていることを特徴とする。
【０００７】
この釣り用天秤によれば、キャスト時に姿勢変更部材が枝杆側となる主杆の下側に移動するので、釣り用天秤の飛行姿勢が安定した状態となる。また、枝杆の長さ分、道糸と仕掛けとが離間した状態で飛行する。
また、投入後に姿勢変更部材が枝杆側と反対側に移動するので、主杆の上側に錘体が位置し、枝杆側となる主杆の下側に浮力体が位置することとなる。
これにより、投入後は、浮力体側となる主杆の下側に比べて錘体側となる主杆の上側が先に沈下し、水中において主杆１の上側が下向きとなる姿勢になって釣り用天秤が沈下することとなる。
【０００８】
また、本発明は、前記枝杆は、前記主杆と別部材で構成され、前記主杆が挿通されるリング状の連結部を介して前記主杆に連結されており、前記連結部には、キャスト時に前記枝杆側へ移動する前記姿勢変更部材が当接するようになっており、前記枝杆は、前記姿勢変更部材の当接によって、前記主杆の軸に交差する方向へ位置決めされて延出保持されることを特徴とする。
【０００９】
この釣り用天秤によれば、キャスト時に姿勢変更部材が枝杆側へ移動して枝杆の連結部に当接すると、枝杆が主杆の軸に交差する方向へ延出する状態に位置決めされて枝杆から延出する状態に保持される。
【発明の効果】
【００１０】
本発明によれば、キャスト時に姿勢変更部材が枝杆側となる主杆の下側に移動するので、釣り用天秤の飛行姿勢が安定し、また、枝杆の長さ分、道糸と仕掛けとの距離が確保されて道糸や主杆と仕掛けとの糸絡みが生じ難い。
【００１１】
投入後に姿勢変更部材が枝杆側と反対側に移動し、水中において主杆の上側が下向きとなる姿勢になって釣り用天秤が沈下することとなるので、沈下中に少なくとも主杆の長さ分、道糸と仕掛けとの距離を確保することができる。これにより、道糸と仕掛けとが絡まり難くなり、投入後に糸絡みが生じるのを好適に防止することができる。
【００１２】
また、連結部を介して枝杆が主杆に連結された構成では、キャスト時における姿勢変更部材３の当接によって、主杆の軸に交差する所定角度で枝杆を自動的に保持することができる。したがって、キャスト時においても道糸と仕掛けとの距離が確保されるようになり、道糸と仕掛けとが絡まり難くなって糸絡みが生じるのを好適に防止することができる。
【図面の簡単な説明】
【００１３】
【図１】本発明の一実施形態に係る釣り用天秤を示す図であり、（ａ）は斜視図、（ｂ）は姿勢変更部材を主杆の上側に移動した状態を示す斜視図である。
【図２】（ａ）は姿勢変更部材を断面で示した斜視図、（ｂ）は姿勢変更部材を分解した斜視図である。
【図３】（ａ）はキャスト時の様子を示す図、（ｂ）はキャスト時の道糸と仕掛けの糸との間隔を示す拡大図である。
【図４】（ａ）〜（ｅ）は作用説明図である。
【図５】他の形態の釣り用天秤を示す図であり、（ａ）は斜視図、（ｂ）は作用説明図である。
【発明を実施するための形態】
【００１４】
以下、本発明に係る釣り用天秤の実施形態について図面を参照しながら説明する。なお、説明において、「上、下」をいうときは、図１（ａ）（ｂ）に示した方向を基準とする。
【００１５】
図１（ａ）に示すように、本実施形態の釣り用天秤は、主杆１と、枝杆２と、姿勢変更部材３と、を備えて構成されており、道糸Ｌｍと仕掛けの糸Ｌｓ（仕掛け、図３（ａ）参照）とを接続するものである。
【００１６】
主杆１は、線材からなり、釣り用天秤の主軸をなす部分である。主杆１には、姿勢変更部材３が移動可能に挿通支持される。主杆１は、姿勢変更部材３の移動を可能とするために姿勢変更部材３よりも長い全長を有している。
【００１７】
主杆１の上端には接続部１ｃが形成されている。接続部１ｃには、道糸Ｌｍ（図３（ａ）参照、以下同じ）を直接止着してもよいし、図１（ａ）（ｂ）に示すようにスナップ１ｆを係止して、このスナップ１ｆに道糸Ｌｍを止着してもよい。なお、接続部１ｃは、姿勢変更部材３の貫通孔３２ｃ（図２（ａ）（ｂ）参照）の内径よりも大きい外形寸法を有している。したがって、接続部１ｃは、姿勢変更部材３の抜け止め部材として機能するようになっている。
【００１８】
枝杆２は、主杆１の下端にリング状の連結部２ｂを介して連結され、主杆１の下端から主杆１の軸に交差する方向（本実施形態では主杆１の斜め下方向）へ延設されている。
連結部２ｂは、枝杆２の基端部に設けられており、２つのビーズ４，４の間にて主杆１により挿通支持されている。連結部２ｂは、枝杆２の軸線に対して幾分折れ曲がっており、姿勢変更部材３が連結部２ｂと非当接状態にあるときに、枝杆２は、図１（ｂ）に示すように、主杆１の下方に（主杆１の軸線の図示しない延長線に略平行となる状態に）垂れ下がるようになっている。
【００１９】
枝杆２の延出端２ａはリング状を呈しており、延出端２ａには仕掛けの糸Ｌ２（図３（ａ）参照）が止着される。
【００２０】
このような枝杆２は、図１（ｂ）に示すように、姿勢変更部材３を枝杆２側へ移動させて連結部２ｂに当接させることによって、枝杆２は、主杆１の軸に交差する方向へ位置決めされて延出保持されるようになっている。つまり、枝杆２は、姿勢変更部材３と主杆１の下端部１ｄとの間にビーズ４，４を介して挟持されることで、主杆１に対して所定の角度で延出するように保持される。
【００２１】
姿勢変更部材３は、図２（ａ）（ｂ）に示すように、両端部分（主杆１の軸線方向となる上下方向の両端部分）が略流線形状を呈しており、主杆１の軸方向に長尺とされた浮力体３１と、浮力体３１の軸方向上端部に設けられた錘体３２と、を備えて構成されている。浮力体３１は、例えば、合成樹脂（ポリエチレン、ポリプロピレン等）、独立発泡材、発泡スチロール、ウレタンスポンジ、木材等によって形成されたものであり、所定の浮力を主杆１に対して与えることができるものである。
浮力体３１は、図２（ｂ）に示すように、円筒状とされており、錘体３２に設けられた円筒支持部３２ｂに内周部３１ａを装着することにより、円筒支持部３２ｂに支持されるようになっている。別言すれば、浮力体３１の内周部３１ａに円筒支持部３２ｂを挿入することにより、浮力体３１に錘体３２が装着されるようになっている。
【００２２】
錘体３２には、円筒支持部３２ｂが一体的に設けられている。円筒支持部３２ｂは、錘体３２の下面３２ａから主杆１の軸方向に沿うように垂設されており、その内空が、姿勢変更部材３の貫通孔３２ｃとして機能する。貫通孔３２ｃは主杆１の軸方向に沿って錘体３２を上下方向に貫通している。
【００２３】
このような浮力体３１と錘体３２とを有する姿勢変更部材３は、錘体３２が枝杆２側と反対側（主杆１の上側１ａ）となるように（浮力体３１が枝杆２側（主杆１の下側１ｂ）となるように）主杆１により挿通支持されている。
【００２４】
次に、本実施形態の釣り用天秤の作用について説明する。ここでは、ルアー（疑似餌）を用いたルアーフィッシングにおいて、釣針と錘とが組み合わされたメタルジグやジグヘッドに軟質合成樹脂により形成したソフトルアーを装着する釣法に釣り用天秤を用いた例を示すが、釣り用天秤が用いられる釣法を限定する趣旨ではない。
【００２５】
図３（ｂ）に示すように、釣り用天秤に対して、主杆１の上側１ａのスナップ１ｆに道糸Ｌｍを止着し、枝杆２の延出端２ａに仕掛けの糸Ｌｓを止着する。仕掛けの糸Ｌｓの端部にはジグヘッドＪが止着されており、ジグヘッドＪにはソフトルアーＳが装着されている。
【００２６】
このように道糸Ｌｍと仕掛けの糸Ｌｓとの間に釣り用天秤を介在させ、図３（ａ）に示すように、ロッドＲを用いてキャストすると、キャスト時の遠心力を受けて姿勢変更部材３が主杆１の下側１ｂに押し付けられ（図１（ａ）、図３（ｂ）に示す状態）、枝杆２の連結部２ｂが姿勢変更部材３により押圧される。
【００２７】
これにより、枝杆２が主杆１に対して所定の角度をもって保持されることとなる。したがって、キャスト時には、図３（ｂ）に示すように、釣り用天秤を介して道糸Ｌｍと仕掛けの糸Ｌｓとが、枝杆２により形成された間隔Ｗ１を空けて非接触状態で飛行する。これにより、キャスト時に道糸Ｌｍと仕掛けの糸Ｌｓとの糸絡みを生じることがない。
【００２８】
なお、図４（ａ）（ｂ）に示すように、釣り用天秤が水面Ａに着水する直前および着水した直後においても、略この間隔Ｗ１は保持された状態にあり、道糸Ｌｍと仕掛けの糸Ｌｓとの糸絡みを生じることがない。
【００２９】
図４（ｂ）に示すように、釣り用天秤が着水すると、その着水時の衝撃を受けて主杆１の下側１ｂに位置していた姿勢変更部材３が、主杆１に沿って上側１ａに移動する。このとき、浮力体３１による浮力作用も手伝って、姿勢変更部材３が主杆１の上側１ａにスムーズに移動される。
これにより、投入後（着水後）は、主杆１の上側１ａに姿勢変更部材３の錘体３２が位置する状態となり、釣り用天秤の重心（不図示）が主杆１の上側１ａとなる。
【００３０】
その後、図４（ｄ）に示すように、釣り用天秤は水中を沈下することとなるが、前記のように、投入後は釣り用天秤の重心（不図示）が主杆１の上側１ａとなっているので、沈下する際には、浮力体３１側となる主杆１の下側１ｂに比べて錘体３２側となる主杆１の上側１ａが先に沈下し、主杆１の上側１ａが下向きとなる姿勢になる。
【００３１】
これにより、図４（ｅ）に示すように、道糸Ｌｍと仕掛けの糸Ｌｓとの間隔Ｗ２は、主杆１の全長に枝杆２の傾斜した全長を加えた大きさ、つまり、釣り用天秤の主杆１と枝杆２との長さをフルに利用した大きさとなり、キャスト時の間隔Ｗ１よりも広くなる。
したがって、水中において道糸Ｌｍと仕掛けの糸Ｌｓとの糸絡みが好適に回避される。
【００３２】
なお、沈下時には、図４（ｅ）に破線で示すように、仕掛けの糸Ｌｓが略鉛直方向となる場合もあり、このような場合には、道糸Ｌｍと仕掛けの糸Ｌｓとの間隔Ｗ２がさらに広がるので、道糸Ｌｍと仕掛けの糸Ｌｓとの糸絡みがより一層好適に防止される。
【００３３】
以上説明した本実施形態の釣り用天秤によれば、キャスト時に姿勢変更部材３が枝杆２側となる主杆１の下側１ｂに移動するので、釣り用天秤の飛行姿勢が安定し、また、枝杆２の長さ分、道糸Ｌｍと仕掛けの糸Ｌｓとの距離が確保されて道糸Ｌｍと仕掛けの糸Ｌｓとの糸絡みが生じ難い。
【００３４】
また、キャスト時には、姿勢変更部材３の当接により、主杆１に対して所定角度で枝杆２を自動的に保持することができ、道糸Ｌｍと仕掛けの糸Ｌｓとの距離が好適に確保されて糸絡みが生じるのを好適に防止することができる。
【００３５】
また、投入後に姿勢変更部材３が枝杆２側と反対側に移動し、水中において主杆１の上側１ａが下向きとなる姿勢になって釣り用天秤が沈下することとなるので、沈下中に少なくとも主杆１の長さ分（主杆１と枝杆２の傾斜した長さ分）、道糸Ｌｍと仕掛けの糸Ｌｓとの距離（間隔Ｗ２）を確保することができる。これにより、道糸Ｌｍと仕掛けの糸Ｌｓとが絡まり難くなり、投入後に糸絡みが生じるのを好適に防止することができる。
【００３６】
前記実施形態においては、錘体３２の円筒支持部３２ｂに浮力体３１を装着して浮力体３１と錘体３２とを接続したが、これに限られることはなく、錘体３２の端部に接着剤等により浮力体３１を直接的に接続してもよい。
【００３７】
前記実施形態においては、主杆１と枝杆２とを別部材で構成したが、図５（ａ）に示すように、１本の線材を折曲げ形成して主杆１と枝杆２とを一体的に形成してもよい。この場合には、主杆１に対して枝杆２の角度が変わらないものとなるが、前記実施形態と同様に、投入後において、図５（ｂ）に示すように、姿勢変更部材３が枝杆２のある下側１ｂと反対側の上側１ａに移動し、水中において主杆１の上側１ａが下向きとなる姿勢になって釣り用天秤が沈下することに変わりはないので、道糸Ｌｍと仕掛けの糸Ｌｓとの距離Ｗ２’を確保することができる。これにより、投入後に糸絡みが生じるのを好適に防止することができる。
【００３８】
また、浮力体３１の端部に錘体３２を埋設してもよい。
また、彩色により錘体３２の位置を容易に目視確認できるように構成してもよい。
また、主杆１と枝杆２とで、線材の径を異ならせてもよい。
【符号の説明】
【００３９】
１      主杆
２      枝杆
２ａ    延出端
２ｂ    連結部
３      姿勢変更部材
３１    浮力体
３２    錘体
３２ｃ  貫通孔
【図１】
0005679961.tif 000002
【図２】
0005679961.tif 000003
【図３】
0005679961.tif 000004
【図４】
0005679961.tif 000005
【図５】
0005679961.tif 000006